(57)【要約】【課題】  物等に貼られた粘着テープを剥す時、指力の弱い人はテープ端部を剥離するのが困難で又、そのテープ自体も簡単に切れない為、粘着テープを剥す煩わしさを無くするようにする。剥し易い粘着テープを簡単で作れるようにする。剥した粘着テープが再使用できるような、耳付き粘着テープができる間欠粘着テープを提供する。【解決手段】  粘着テープの粘着面側に一定の間隔に不粘着部分（２）を設けた、これを間欠粘着テープ（１）という。テープカッター台（４）で間欠粘着テープ（１）の粘着部分（３）・不粘着部分（２）の中央あたりをラフにカットすると、容易に連続して耳付粘着テープ（６）（７）を作ることができた。  作られた耳付粘着テープ（６）（７）は耳部分（５）が摘み部分となり、簡単に耳付粘着テープ（６）（７）を貼ることができ、又、容易に耳付粘着テープ（６）（７）を剥せる。  剥した耳付粘着テープ（６）（７）の形状がきれい為に、粘着面が劣化するまで何度も使用できた。【選択図】  図１
2007023247.tif 000002
【特許請求の範囲】
【請求項１】
粘着テープの粘着面に、不粘着部分（２）と粘着部分（３）を一定間隔に設けたことを特徴とする耳付き粘着テープができる間欠粘着テープ（１）
【請求項２】
幅を粘着テープと同じ幅・長さを耳部分二つ分の大きさとした、粘着テープと伸縮率が同じ材質の面材（９）を不粘着部分（２）とする所に接着した構造を特徴とする請求項１の耳付き粘着テープができる間欠粘着テープ（１）。
【発明の詳細な説明】
【技術分野】
【０００１】  この発明は粘着テープを使用する時に、剥し易い耳付き粘着テープの構造に関するものである。
【背景技術】
【０００２】  従来の粘着テープは、テープ粘着面均一に接着面が設けられた全面接着の構造であって、粘着テープが仮留めに使われる事が多いにも関わらず、仮留め終了後、粘着テープの剥し易さを目的として、考慮されることは、ほとんど無かった。
その結果、粘着テープの仮留めの役目が終わり、粘着テープを剥す時はテープ端を見つけ、爪先で引っかいて剥す作業は煩わしいものであった。
剥した粘着テープは、粘着力があるにも関わらず、再使用されることは無かった。
【発明の開示】
【発明が解決しようとする課題】
【０００３】  これは次のような欠点があった。
従来の粘着テープを使って物等を貼り付ける場合、端から端までしっかり接着する為に、そのテープを剥す時、指力の弱い人にはテープ端部を剥離するのに手間を要していた、又、そのテープ自体も丈夫で簡単に切れない為、剥すのに煩わしさが伴っていた。
剥し易い粘着テープを作る為のテープ端折作業も手間の要る作業でした。
一度、無理して剥した粘着テープは、粘着力があるにも関わらず、一部が欠け、変形して、粘着面同士が接着し、再使用できなかった。
本発明は、以上のような欠点をなくす為に考案されたものである。【０００４】  粘着テープに耳（つまみ）部分を設ける為に、粘着テープの端を適当な長さに粘着面側に手動で折り込み、耳部分とし、任意の長さにカットすれば耳付き粘着テープができた。
しかし、粘着テープの端折の煩わしさがあり、本来の粘着テープをスムーズに貼るという作業には不向きでした。その上、両耳付き粘着テープを作ることなどは、不可能に近いものであった。
【課題を解決するための手段】
【０００５】  そこで粘着テープの一定の間隔に、耳部分（５）となる箇所に不粘着部分（２）のある粘着テープを作った。これを間欠粘着テープ（１）と呼ぶ。不粘着の耳部分（５）を発生させる時に、粘着・不粘着の境目をラフに切断しようとすると、ズレが生じ不確かな切り口になるので、うまく耳部分（５）ができなかった。【０００６】  さらに、ラフに切っても耳付粘着テープ（６）（７）が確実に作れるように、耳部分（５）二つ分の長さを一つの不粘着部分（２）長さとして、テープカッター台（４）で不粘着部分（２）の中央あたりをラフにカットすれば、不粘着部分（２）が前後に、二分されて、確実にテープ端が粘着テープの耳部分（５）となり、耳付き粘着テープ（６）（７）が簡単に作ることができた。
この中央あたりをラフにカットすることは重要なことで、耳部分（５）を作るために、不粘着部の切断場所の正確な位置決めが不要となり、ラフな感覚で間欠粘着テープをカットできる。そのため、粘着テープ貼りの連続作業性が損なわれる事無く、課題を解決することができた。
【発明の効果】
【０００７】本発明の間欠粘着テープ（１）を従来のテープカッター台（４）で装着し、使用したところ、次のことがわかった。
１、従来のテープカッター台（４）と同じカット感覚で耳付き粘着テープ（６）（７）が連続で簡単に作れた。
２、商品の包装袋・レジ袋・紙等の接着に耳付粘着テープ（６）（７）を使うと、貼る時は耳部分（６）が摘み部分となり、指のねばねば感が無く、指からのテープ離れが良くなった。
３、耳付粘着テープ（６）（７）を剥す時は耳部分（５）から気持ち良く剥すことができ、煩わしさが無く、余分な力が要らず、内容物をこわすこと無く、やさしい感覚で商品を取り出すことができた。テープ耳部分（５）をつかみ、耳付き粘着テープ（６）（７）を剥す感覚は、花から花びらをそっと外す感じがした。
４、剥した耳付粘着テープ（６）（７）は、耳部分（５）がある為に、くちゃくちゃに成らず、粘着面が劣化するまで何度も再使用できた。これは省資源効果があることがわかった。
【発明を実施するための最良の形態】
【０００８】  以下、本発明を実施するための最良の形態について説明する。
粘着テープには、ビニールテープ・ガムテープ・セロファンテープ等があるが、本説明はセロファンテープを使って説明する。不粘着部分（２）を作る為に粘着テープの粘着部分に、幅を粘着テープと同じ幅・長さを耳部分二つ分の長さとした、粘着テープと伸縮率が同じ材質のカラーセロファン（９）を、不粘着部分（２）とする所に接着した構造の不粘着部分（２）を作った。この不粘着部分（２）を粘着テープの粘着面に、一定の間隔で配した間欠粘着テープ（１）を作った。
本発明は、以上のような構造で、これを使用して片耳付テープ（７）を作る為に、間欠粘着テープ（１）を通常のテープカッター台（４）に装着する。一方の端部が耳部分になるように、不粘着部分中央あたりを、テープ切金具でラフにカットする。そして他方の端は粘着部分の任意の長さあたりをカットすると、一つの片耳付き粘着テープ（７）ができる。
テープカッター台（４）のテープ切金具（８）には粘着部分（３）で始まる間欠粘着テープ（１）が有り、前記と同じように次の不粘着部分（２）中央あたりをラフにカットすると片耳付テープ（７）が連続でできる。又、両耳付粘着テープ（６）を作るには、前後各不粘着部（２）中央あたりをラフにカットすると両耳付粘着テープ（６）が連続で簡単に作れる。この耳付き粘着テープ（６）（７）を物等に貼り付ける時は、耳部分（５）を摘み、テープ貼り作業をする。
そして、物等に貼られた耳付粘着テープ（６）（７）を剥す時は、耳部分（５）を摘み、軽く引っ張ると耳部分（５）付け根より、シワに成らずきれいに剥がれる。剥したテープは不要面等に仮着けして、再使用することができた。
【図面の簡単な説明】
【０００９】
【図１】本発明の斜視図である。
【図２】本発明の使用状態を示す斜視図である。
【図３】本発明をテープカッター台に装着した全体像を示す斜視図である。
【図４】本発明の断面図である。
【符号の説明】
【０００１０】    １  間欠粘着テープ
２  不粘着部分
３  粘着部分
４  テープカッター台
５  耳部分
６  両耳付テープ
７  片耳付テープ
８  テープ切金具
【図１】
2007023247.tif 000003
【図２】
2007023247.tif 000004
【図３】
2007023247.tif 000005
【図４】
2007023247.tif 000006